(57)【要約】【課題】拠点毎に独自のカタログデータを作成するに際し、各拠点のカタログデータを集中管理するとともに、該カタログデータを他の拠点でも活用可能にすること。【解決手段】サーバ２０と複数のクライアントコンピュータ３０Ａ、３０Ｂ、３０Ｃ…をインターネット１２で接続したカタログ照会システムであって、サーバ２０は、あるクライアントコンピュータ３０Ａから送信されるカタログデータをデータベース２３に保存し、他のクライアントコンピュータ３０Ｂからの照会に対応するカタログデータを当該他のクライアントコンピュータ３０Ｂにダウンロード可能にするもの。【選択図】  図１
2004272796.tif 000002
【特許請求の範囲】
【請求項１】
サーバと複数のクライアントコンピュータをネットワークで接続したカタログ照会システムであって、
サーバは、あるクライアントコンピュータから送信されるカタログデータをデータベースに保存し、他のクライアントコンピュータからの照会に対応するカタログデータを当該他のクライアントコンピュータにダウンロード可能にすることを特徴とするカタログ照会システム。
【請求項２】
前記クライアントコンピュータから送信されるカタログデータが、当該クライアントコンピュータ上で元データを用いて作成されたものである請求項１に記載のカタログ照会システム。
【請求項３】
前記クライアントコンピュータからカタログデータに基づいて作成したカタログの使用情報も送信され、他のクライアントコンピュータからの照会に対応するカタログデータをその使用情報とともにダウンロード可能にする請求項１又は２に記載のカタログ照会システム。
【発明の詳細な説明】
【発明の属する技術分野】
【０００１】
本発明はカタログ照会システムに関する。
【０００２】
【従来の技術】
特許文献１には、ユーザーが重視する商品情報を掲載したカタログを作成して配信するカタログ配信システムが開示されている。ホストコンピュータは、ユーザーが重視する項目に適合したデータを予めデータベースに蓄積し、ユーザーが入力する重視項目に応じてデータベースから抽出したデータによりカタログを作成する。
【０００３】
特許文献２には、顧客が印刷物データを作成し、作成した印刷物データを事業者へ送信し、事業者が上記印刷物データから作成した印刷物を顧客に納品するものを開示している。
【０００４】
【特許文献１】
特開２００２−１６３５５８（［０００７］〜［００１０］、図１）
【特許文献２】
特開２００２−２０４３４９（［０００５］〜［００１０］、図５）
【０００５】
【発明が解決しようとする課題】
住宅等の多面的な特徴をもつ商品の販売に際しては、同一商品であっても、複数の営業拠点のそれぞれにおいて、異なる特徴点を強調訴求して営業したいということが往々にしてある。例えば寒冷地の拠点では特に断熱性能を、都市部の拠点では特に防火性能や遮音性能を訴求したい、という具合である。
【０００６】
営業ツールであるカタログも、このような事情に鑑みて、営業拠点毎に少しずつ内容を変えた独自のカタログを作成することがある。特に強調訴求したい部分の内容を充実したり、画像を大きくする等である。特許文献１、２の従来技術は、各拠点においてこのような独自のカタログを作成するときに有用になる。
【０００７】
しかしながら、特許文献１、２の従来技術において、拠点毎に作成されたカタログは当該拠点に納品されて完了であり、他の拠点による活用については特に勘案されていない。
【０００８】
本発明の課題は、拠点毎に独自のカタログデータを作成するに際し、各拠点のカタログデータを集中管理するとともに、該カタログデータを他の拠点でも活用可能にすることにある。
【０００９】
【課題を解決するための手段】
請求項１の発明は、サーバと複数のクライアントコンピュータをネットワークで接続したカタログ照会システムであって、サーバは、あるクライアントコンピュータから送信されるカタログデータをデータベースに保存し、他のクライアントコンピュータからの照会に対応するカタログデータを当該他のクライアントコンピュータにダウンロード可能にするようにしたものである。
【００１０】
請求項２の発明は、請求項１の発明において更に、前記クライアントコンピュータから送信されるカタログデータが、当該クライアントコンピュータ上で元データを用いて作成されたものである。
【００１１】
請求項３の発明は、請求項１又は２の発明において更に、前記クライアントコンピュータからカタログデータに基づいて作成したカタログの使用情報も送信され、他のクライアントコンピュータからの照会に対応するカタログデータをその使用情報とともにダウンロード可能にするようにしたものである。
【００１２】
【作用】
請求項１の発明によれば下記▲１▼、▲２▼の作用がある。
▲１▼各拠点で作成されたカタログデータは、各拠点のクライアントコンピュータから管理元のサーバのデータベースに送信されて保存される。これにより、各拠点のカタログデータを管理元において集中管理し、それらのカタログデータを他の拠点に開放等できる。各拠点でどんなカタログデータを用いているかの照会は、管理元のサーバに対して行なうことにより直ちに解決される。
【００１３】
▲２▼管理元への照会により、ある拠点Ａで作成したカタログデータを他の拠点Ｂのクライアントコンピュータで閲覧、ダウンロードすることができる。これにより、拠点Ａで作成したカタログデータをそのまま、乃至修正して拠点Ｂで使用することができ、拠点Ｂにおけるカタログ作成コストが低減される。複数の拠点のカタログから融合（いいとこ取り）してより良いカタログを作成できる。
【００１４】
請求項２の発明によれば下記▲３▼の作用がある。
▲３▼各拠点におけるカタログデータの作成を、当該拠点のクライアントコンピュータ上で元データを用いて作成することにより、カタログデータの作成の迅速を図ることができる。
【００１５】
請求項３の発明によれば下記▲４▼の作用がある。
▲４▼ある拠点Ａのクライアントコンピュータからカタログデータとともにその使用情報も、管理元のサーバのデータベースに送信されて保存される。他の拠点Ｂのクライアントコンピュータからの照会に対応するカタログデータをその使用情報とともに当該他の拠点Ｂのクライアントコンピュータで閲覧、ダウンロードすることにより、当該他の拠点Ｂにおけるカタログの有効利用を促進し、拠点Ｂにおける販促コストが低減される。
【００１６】
【発明の実施の形態】
図１はカタログ照会システムを示すブロック図、図２はカタログ照会システムを示す流れ図である。
【００１７】
カタログ照会システム１０は、図１に示す如く、住宅メーカーに属する複数の販売会社、営業所等の営業拠点Ａ、Ｂ、Ｃ…が用いる各種営業ツールを集約して管理する管理会社１１がサーバ２０を有し、各拠点Ａ、Ｂ、Ｃ…にクライアントコンピュータ３０Ａ、３０Ｂ、３０Ｃ…を有し、サーバ２０と各クライアントコンピュータ３０Ａ、３０Ｂ、３０Ｃ…をインターネット１２で接続している。
【００１８】
各拠点Ａ、Ｂ、Ｃ…では、制作会社を用いる等により、建物の外観画像データ、居室の内観画像データ、各種性能を示す文書データ等の元データを加工、編集、組合わせてカタログデータを作成する。元データは、クライアントコンピュータ３０Ａ、３０Ｂ、３０Ｃ…からダウンロードしたものでも良い。このとき、各拠点Ａ、Ｂ、Ｃ…で作成されるカタログデータは、同一商品のためのカタログデータであっても、各拠点Ａ、Ｂ、Ｃ…毎に異なる特徴点を強調訴求した、各拠点Ａ、Ｂ、Ｃ…毎に独自のカタログデータとされる。例えば寒冷地の拠点では特に断熱性能を、都市部の拠点では特に防火性能や遮音性能を訴求する如くである。
【００１９】
各拠点Ａ、Ｂ、Ｃ…では、当該拠点Ａ、Ｂ、Ｃ…で作成したカタログデータに基づいて独自のカタログを作成し、このカタログを用いて営業活動を行なうことができる。各拠点Ａ、Ｂ、Ｃ…は、当該拠点Ａ、Ｂ、Ｃ…で作成したカタログデータを管理会社１１のサーバ２０に送信し、当該カタログの使用情報、例えば顧客からのアクセス数、セールスの成功例、アプローチブック等の付加価値情報も管理会社１１のサーバ２０に送信することができる。
【００２０】
サーバ２０は、ＣＰＵ（中央演算装置）２１を有する。また、サーバ２０には、キーボード及びマウス装置等の入力手段２２と、入力された情報を随時読み出し及び書き込み可能なデータベース２３と、ＣＲＴ又は液晶装置等のディスプレイ２４が接続されている。
【００２１】
サーバ２０は、各拠点Ａ、Ｂ、Ｃ…のクライアントコンピュータ３０Ａ、３０Ｂ、３０Ｃ…から送信されるカタログデータを、サーバ２０のデータ読み書き部２１Ａによりデータベース２３に保存する。
【００２２】
サーバ２０は、いずれかの拠点、例えば拠点Ｂからの照会に対応する、ある拠点、例えば拠点Ａのカタログデータを、サーバ２０のデータ照会部２１Ｂにより当該いずれかの拠点Ｂのクライアントコンピュータ３０Ｂにダウンロード可能にする。このとき、サーバ２０は、拠点Ａのカタログデータを前述の使用情報とともに拠点Ｂのクライアントコンピュータ３０Ｂにダウンロード可能にする。
【００２３】
従って、カタログ照会システム１０は以下の如くに使用される（図２）。
（１）各拠点Ａ、Ｂ、Ｃ…のそれぞれにおいて独自の特徴あるカタログデータを作成する。各拠点Ａ、Ｂ、Ｃ…では、それらのカタログデータに基づいて作成した独自のカタログを使用し、営業活動を行なう。
【００２４】
（２）各拠点Ａ、Ｂ、Ｃ…のそれぞれから、それらのカタログデータと使用情報が管理会社１１のサーバ２０に送信される。カタログ使用情報は、カタログデータと同時に送信されることを要しない。
【００２５】
（３）管理会社１１のサーバ２０では、各拠点Ａ、Ｂ、Ｃ…から送信されてきたカタログデータを、カタログ使用情報とともにデータベース２３に保存する。
【００２６】
（４）いずれかの拠点、例えば拠点Ｂのクライアントコンピュータ３０Ｂから管理会社１１のサーバ２０に対し、特定の拠点、例えばＡのカタログデータを照会する。尚、この照会先の指定は、「拠点Ａ」の如くの拠点名によるものに限らず、「寒冷地の拠点」、「北海道の拠点」等によるものであっても良い。
【００２７】
（５）サーバ２０のデータ照会部２１Ｂは、上述（４）の照会に対応する拠点Ａ（又は寒冷地の複数の拠点、北海道の複数の拠点）のカタログデータをその使用情報とともに、拠点Ｂのクライアントコンピュータ３０Ｂにダウンロードする。
【００２８】
（６）拠点Ｂは、上述（５）でダウンロードしたカタログデータに流用又は転用し、当該拠点Ｂのためのカタログデータを作成する。拠点Ｂは、作成したカタログデータに基づいて当該拠点Ｂのためのカタログを作成し、上述（５）でダウンロードした使用情報も利用し、営業活動を行なう。
【００２９】
尚、上述（６）で、拠点Ｂが作成したカタログデータと、このカタログデータに基づいて作成したカタログの使用情報は、前述（２）により管理会社１１のサーバ２０に送信される。
【００３０】
本実施形態によれば以下の作用がある。
▲１▼各拠点Ａ、Ｂ、Ｃ…で作成されたカタログデータは、各拠点Ａ、Ｂ、Ｃ…のクライアントコンピュータ３０Ａ、３０Ｂ、３０Ｃ…から管理会社１１のサーバ２０のデータベース２３に送信されて保存される。これにより、各拠点Ａ、Ｂ、Ｃ…のカタログデータを管理会社１１において集中管理し、それらのカタログデータを他の拠点に開放等できる。各拠点Ａ、Ｂ、Ｃ…でどんなカタログデータを用いているかの照会は、管理会社１１のサーバ２０に対して行なうことにより直ちに解決される。
【００３１】
▲２▼管理会社１１への照会により、ある拠点Ａで作成したカタログデータを他の拠点Ｂのクライアントコンピュータ３０Ｂで閲覧、ダウンロードすることができる。これにより、拠点Ａで作成したカタログデータをそのまま、乃至修正して拠点Ｂで使用することができ、拠点Ｂにおけるカタログ作成コストが低減される。複数の拠点Ａ、Ｂ、Ｃ…のカタログから融合（いいとこ取り）してより良いカタログを作成できる。
【００３２】
▲３▼各拠点Ａ、Ｂ、Ｃ…におけるカタログデータの作成を、当該拠点のクライアントコンピュータ３０Ａ、３０Ｂ、３０Ｃ…上で元データを用いて作成することにより、カタログデータの作成の迅速を図ることができる。
【００３３】
▲４▼ある拠点Ａのクライアントコンピュータ３０Ａからカタログデータとともにその使用情報も、管理会社１１のサーバ２０のデータベース２３に送信されて保存される。他の拠点Ｂのクライアントコンピュータ３０Ｂからの照会に対応するカタログデータをその使用情報とともに当該他の拠点Ｂのクライアントコンピュータ３０Ｂで閲覧、ダウンロードすることにより、当該他の拠点Ｂにおけるカタログの有効利用を促進し、拠点Ｂにおける販促コストが低減される。
【００３４】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３５】
【発明の効果】
本発明によれば、拠点毎に独自のカタログデータを作成するに際し、各拠点のカタログデータを集中管理するとともに、該カタログデータを他の拠点でも活用できる。
【図面の簡単な説明】
【図１】図１はカタログ照会システムを示すブロック図である。
【図２】図２はカタログ照会システムを示す流れ図である。
【符号の説明】
１０  カタログ照会システム
１２  インターネット（ネットワーク）
２０  サーバ
２３  データベース
【図１】
2004272796.tif 000003
【図２】
2004272796.tif 000004